(57)【要約】      （修正有）【課題】塗装材の混練り作業において、機械器具を使用し、塗装材の種類毎に清掃作業が必要になる等で、作業が煩雑になることの解決策を提案する。【解決手段】塗装材として消石灰、ガラスビーズ、樹脂系モルタル接着増強剤をプレミックスし袋詰する。使用するときにビニール袋の中に適量の水を加えビニール袋の外より手で揉み解しながら練り混ぜる、混合機器具材を使用せずに必要な量だけビニール袋の中で混練し使用する。残量は密封することにより保存できる。【選択図】なし【特許請求の範囲】
【請求項１】
「シックイ虹」材料
消石灰と、
ガラスビーズと
樹脂系モルタル接着増強剤（粉末）と
着色材（水溶性）
【請求項２】
樹脂系モルタル接着増強剤（粉末）は、消石灰とガラスビーズ、及び施工面との接着性が強い、消石灰は白色度を発現できる、又ガラスビーズは骨材として施工面のヒビ割れ防止、施工厚さを薄層、及び表面の平坦な施工性を向上させることを特徴とする請求項１の「シックイ虹」材料。
【請求項３】
樹脂系モルタル接着剤は（消石灰＋ガラスビーズ）１００重量部に対し（３〜２０）重量部の割合であることを特徴とする請求項１の「シックイ虹」材料。
【請求項４】
消石灰は（消石灰＋ガラスビーズ）１００重量部に対し（５０〜７０）重量部の割合である事を特徴とする請求項１の「シックイ虹」材料。
【請求項５】
ガラスビーズは（ガラスビーズ＋消石灰）１００重量部に対し（３０〜５０）の重量部の割合である事を特徴とする請求項１の「シックイ虹」材料。
【請求項６】
消石灰とガラスビーズと樹脂系モルタル接着増強剤をプレミックスし、ビニール袋詰めする事を特徴とする請求項１の「シックイ虹」材料。
【請求項７】
消石灰とガラスビーズと樹脂系モルタル接着増強剤をプレミックスし、袋詰めすることにより長期保存が可能であることを特徴とする請求項１の「シックイ虹」材料。
【請求項８】
白色表現の時はプレミックスされた「シックイ虹」材料のビニール袋の中に適量の水を加えビニール袋の外より手で揉み解しながら混練し、混練り機器具を使用しないことを特徴とする請求項１の「シックイ虹」材料。
【請求項９】
着色表現の時はプレミックスされた「シックイ虹」材料のビニール袋の中に加える同量の水に好みの色（濃淡）の着色材を加えることが出来ることを特徴とする請求項１の「シックイ虹」材料。
【請求項１０】
混練りした材料は使用を止めたときは、ビニール袋の口を密封すれば長期保存できることを特徴とする請求項１の「シックイ虹」材料。
【発明の詳細な説明】
【発明の詳細な説明】
【技術分野】
【０００１】本発明は、白壁材、屋根瓦の固定材、タイル張りの基盤材、区画線材等及び着色材の工事施工方法に係り、基面に「シックイ虹」をこて・刷毛等で塗り仕上げる、かつ施工の簡略化を可能とした使用方法に関する。
【背景技術】
【０００２】白壁材、屋根瓦の固定材、タイル張りの基盤材、区画線材等の材料は用途ごとに夫々異なった材料を使用している。
【発明が解決しようとする課題】
【０００３】施工時の混練り作業に機械器具及び作業後の清掃等種類ごとに作業が煩雑である等の問題を抱えています。
【０００４】本発明が解決しようとする課題は、材料の混練り作業に機械器具を使用しないで、プレミックスすされた「シックイ虹」材料のビニール袋の中に適量の水を加えて手で揉み解しながら混練りする、優れた技術を提供することである。
【０００５】本発明は、上述したよう問題に対処したものであって、その目的は、施工の簡略化が図れると共に、材料の無駄が少ない施工方法を提供することである。
【問題を解決するための手段】
【０００６】「シックイ虹」材料の機能を果たすためには、
▲１▼  混練り作業・施工が簡単に誰にでもできる。
▲２▼  施工中断、残った材料を密封保存でき、材料の無駄を省くことができる。
▲３▼  部分補修が簡単にできる。
【０００７】樹脂系モルタル接着増強剤（エチレン酢酸ビニル共重合体）（粉末）を用いる。
樹脂系モルタル接着増強剤を用いるのは、骨材（消石灰、ガラスビーズ）との接着性が優れている。
樹脂系モルタル接着増強剤の使用量は、骨材（消石灰＋ガラスビーズ）１００重量部に対し、樹脂系モルタル接着増強剤（３〜２０）重量部が望ましい。
【０００８】消石灰を用いるのは、微細粒骨材及び白色材として薄層に施工できる。
消石灰は建築用の白色度のよいものが望ましい。
消石灰は（消石灰＋ガラスビーズ）１００重量部に対し、消石灰（５０〜７０）重量部が望ましい。
【０００９】ガラスビーズ材を用いるのは、施工面のヒビ割れ防止、施工厚さを薄層、及び表面の平坦な施工性を向上させる。
ガラスビーズはサイズ（０．１０６〜０．８５０）がよい。
ガラスビーズは、（ガラスビーズ＋消石灰）１００重量部に対し、（３０〜５０）重量部が望ましい。
【発明実施の形態】
【００１０】本発明になる「シックイ虹」の材料は、消石灰、樹脂系モルタル接着増強剤（粉末）、ガラスビーズ骨材を含む。
【００１１】上記材料の物性を示す。
▲１▼  消石灰は重安石灰（株）の建築用白色消石灰
▲２▼  樹脂系モルタル接着増強剤（酢酸ビニル系共重合体粉末樹脂）は旭化成ケミカルズ社のＶｉｎｎａｐａｓ（ＲＥ７０３４Ｎ）である。
▲３▼  ガラスビーズはＪＩＳ  Ｒ  ３３０１  １号（０．１０６〜０．８５０）である。
【００１２】製造に関する
▲１▼  ガラスビーズの投入
▲２▼  樹脂系モルタル接着増強剤の投入
▲３▼  ミキサーで攪拌混合
▲４▼  消石灰の投入
▲５▼  ミキサーで攪拌混合
▲６▼  ビニール袋に詰め込み密封
▲７▼  荷姿は３ｋｇ入りの袋が手で揉み練り易く均一に混練りできる
▲８▼  ビニール袋の容量は材料量の２倍以上が望ましい
【００１３】使用に関する
▲１▼  ３ｋｇ入りビニール袋の中に５００ｃｃの水を注入する
▲２▼  ビニール袋の外より手で揉み解しながら混練りする
▲３▼  ビニール袋の底部の角を三角に少しハサミ等で切り絞り出しながら使用する
▲４▼  着色する場合は▲１▼の５００ｃｃの水に水溶性の着色材を加え、▲２▼▲３▼に準ずる
▲５▼  混練りした材料が残った場合は密封して保管する
【手続補正書】
【提出日】平成24年6月4日(2012.6.4)
【手続補正３】
【補正対象書類名】特許請求の範囲
【補正対象項目名】全文
【補正方法】変更
【補正の内容】
【特許請求の範囲】
【請求項１】
塗装材「シックイ虹」材料
消石灰と、
ガラスビーズと
樹脂系モルタル接着増強剤（粉末）と
着色材
【請求項２】
樹脂系モルタル接着増強剤（粉末）は、消石灰とガラスビーズ、及び施工面との接着性が強い、消石灰は白色度を発現できる、又ガラスビーズは骨材として施工面のヒビ割れ防止、施工厚さを薄層、及び表面の平坦な施工性を向上させることを特徴とする請求項１の塗装材「シックイ虹」材料。
【請求項３】
樹脂系モルタル接着剤は（消石灰＋ガラスビーズ）１００重量部に対し（３〜２０）重量部の割合であることを特徴とする請求項１の塗装材「シックイ虹」材料。
【請求項４】
消石灰は（ガラスビーズ）１００重量部に対し（５０〜７０）重量部の割合である事を特徴とする請求項１の塗装材「シックイ虹」材料。
【請求項５】
ガラスビーズは（消石灰）１００重量部に対し（３０〜５０）の重量部の割合である事を特徴とする請求項１の塗装材「シックイ虹」材料。
【請求項６】
消石灰とガラスビーズと樹脂系モルタル接着増強剤をプレミックスし、ビニール袋詰めする事を特徴とする請求項１の塗装材「シックイ虹」材料。
【請求項７】
消石灰とガラスビーズと樹脂系モルタル接着増強剤をプレミックスし、乾燥状態で袋詰めすることにより長期保存が可能であることを特徴とする請求項１の塗装材「シックイ虹」材料。
【請求項８】
白色表現の時はプレミックスされた塗装材「シックイ虹」のビニール袋の中に適量の水を加えビニール袋の外より手で揉み解しながら混練し、混練り機器具を使用しないことを特徴とする請求項１の塗装材「シックイ虹」材料。
【請求項９】
着色表現の時はプレミックスされた塗装材「シックイ虹」のビニール袋の中に加える同量の水に好みの色（濃淡）の着色材を加えることが出来ることを特徴とする請求項１の塗装材「シックイ虹」材料。
【請求項１０】
混練りした材料は使用を止めたときは、ビニール袋の口を密封すれば長期保存できることを特徴とする請求項１の塗装材「シックイ虹」材料。
【手続補正４】
【補正対象書類名】明細書
【補正対象項目名】全文
【補正方法】変更
【補正の内容】
【発明の詳細な説明】
【技術分野】
【０００１】本発明は、白壁材、ブロック塀、屋根瓦の固定材、タイル張りの基盤材、区画線材等及び着色材の工事施工方法に係り、基面に塗装材「シックイ虹」をこて・刷毛等で塗り仕上げる、かつ施工の簡略化を可能とした使用方法に関する。
【背景技術】
【０００２】白壁材、ブロック塀、屋根瓦の固定材、タイル張りの基盤材、区画線材等の材料は用途ごとに夫々異なった材料を使用している。
【発明が解決しようとする課題】
【０００３】施工時の混練り作業に機械器具及び作業後の清掃等種類ごとに作業が煩雑である等の問題を抱えています。
【０００４】本発明が解決しようとする課題は、材料の混練り作業に機械器具を使用しないで、プレミックスすされた塗装材「シックイ虹」のビニール袋の中に適量の水を加えて手で揉み解しながら混練りする、優れた技術を提供することである。
【０００５】本発明は、上述したよう問題に対処したものであって、その目的は、施工の簡略化が図れると共に、材料の無駄が少ない施工方法を提供することである。
【問題を解決するための手段】
【０００６】塗装材「シックイ虹」の機能を果たすためには、
▲１▼  混練り作業・施工が簡単に誰にでもできる。
▲２▼  施工中断、残った材料を密封保存でき、材料の無駄を省くことができる。
▲３▼  部分補修が簡単にできる。
▲４▼  好みの色に着色できる。
【０００７】樹脂系モルタル接着増強剤（エチレン酢酸ビニル共重合体）（粉末）を用いる。
樹脂系モルタル接着増強剤を用いるのは、骨材（消石灰、ガラスビーズ）との接着性が優れている。
【０００８】消石灰を用いるのは、微細粒骨材及び白色材として薄層に施工できる。
消石灰は建築用の白色度のよいものが望ましい。
【０００９】ガラスビーズ材を用いるのは、施工面のヒビ割れ防止、施工厚さを薄層、及び表面の平坦な施工性を向上させる。
【発明実施の形態】
【００１０】本発明になる塗装材「シックイ虹」製造の材料は、消石灰、樹脂系モルタル接着増強剤（粉末）、ガラスビーズ骨材を含む。
【００１１】上記材料の物性を示す。
▲１▼  消石灰は重安石灰（株）の建築用白色消石灰
▲２▼  樹脂系モルタル接着増強剤（酢酸ビニル系共重合体粉末樹脂）は旭化成ケミカルズ社のＶｉｎｎａｐａｓ（ＲＥ７０３４Ｎ）である。
▲３▼  ガラスビーズはＪＩＳ  Ｒ  ３３０１  １号  （０．１０６〜０．８５０）である。
【００１２】製造に関する
▲１▼  ガラスビーズの投入
▲２▼  樹脂系モルタル接着増強剤の投入
▲３▼  ミキサーで攪拌混合
▲４▼  消石灰の投入
▲５▼  ミキサーで攪拌混合
▲６▼  ビニール袋に詰め込み密封
▲７▼  ビニール袋の容量は材料量の２倍以上が望ましい
【００１３】使用に関する
▲１▼  ビニール袋の中に適量の水を注入する
▲２▼  ビニール袋の外より手で揉み解しながら混練りする
▲３▼  ビニール袋より出しながら使用する
▲４▼  着色する場合は▲１▼の水に着色材を加える
▲５▼  混練りした材料が残った場合は密封して保管する